(57)【要約】【課題】レンズ面から眼球側にボルト・ナット等の突出物が突出しない構造で、しかも、簡単にレンズを智等に安定して取付けることができる、縁無し眼鏡を提供する。【解決手段】この縁無し眼鏡１０では、レンズ１２の表面側から連通孔２４およびレンズ孔１４に留め部材３０が挿入され、レンズ孔１４のねじ面１４ａと留め部材３０のねじ面３２ａとが螺合されることによって、レンズ１２が智１８のレンズ止め部２０に取付けられる。この場合、留め部材３０は、レンズ１２の裏面側に突出しないように取付けられる。智１８のテンプルＴにつながる部分には、緩衝部としてのたとえば凹み部２２が配設される。智１８およびテンプルＴは、弾性を有する樹脂材料で一体的に形成される【選択図】　　　図３
2004037654.tif 000002
【特許請求の範囲】
【請求項１】
レンズ、
前記レンズの端縁近傍で前記レンズの一方主面側から前記レンズの他方主面側に貫通し、その内周面にねじ面を有するレンズ孔、
前記レンズの一方主面側に配置され、前記レンズを智およびブリッジ等のフロントに止めるためのレンズ止め部、
前記レンズ止め部に配設され、前記レンズ孔と連通する連通孔、
前記レンズ止め部から突出し、前記レンズの一部に係止され、前記レンズの回動を防止する回り止め片、および
前記レンズ孔のねじ面と螺合可能なねじ面を有し、前記レンズの一方主面側から前記連通孔および前記レンズ孔に挿入される樹脂製の留め部材を含み、前記留め部材は、前記レンズの他方主面側に突出しないように取付けられるレンズ取付構造を有する縁無し眼鏡であって、
前記智のテンプルにつながる部分には、前記智および前記レンズ止め部にかかる力を緩衝させる緩衝部が配設され、前記智、前記レンズ止め部、前記回り止め片、前記緩衝部および前記テンプルは、弾性を有する樹脂材料で一体的に形成されることを特徴とする、縁無し眼鏡。
【請求項２】
前記緩衝部は、前記智のテンプルにつながる部分が内方に凹んだ凹み部を含むことを特徴とする、請求項１に記載の縁無し眼鏡。
【請求項３】
前記凹み部は、内方に湾曲されることを特徴とする、請求項１に記載の縁無し眼鏡。
【請求項４】
前記智が外方に湾曲されることを特徴とする、請求項１〜請求項３のいずれかに記載の縁無し眼鏡。
【請求項５】
前記テンプルは、前記智よりもさらに外方へ湾曲される湾曲部を含むことを特徴とする、請求項１〜請求項４のいずれかに記載の縁無し眼鏡。
【請求項６】
前記留め部材は、その周面に前記レンズ孔のねじ面に螺合可能な樹脂材料からなる軸状部、および、前記軸状部の内部に配設され、前記軸状部の軸方向に延びる補強芯体を含み、前記補強芯体は、金属材料で形成され、少なくとも前記レンズと前記レンズ止め部とに跨って配置されることを特徴とする、請求項１〜請求項５のいずれかに記載の縁無し眼鏡。
【請求項７】
前記補強芯体は、前記軸状部に食い込む複数の凸体を含むことを特徴とする、請求項６に記載の縁無し眼鏡。
【請求項８】
前記回り止め片は、前記レンズの端縁に配設される切欠き部に係止されることを特徴とする、請求項１〜請求項７のいずれかに記載の縁無し眼鏡。
【請求項９】
前記回り止め片は、前記レンズ止め部の前記連通孔と所定の間隔を隔てて、前記レンズ止め部に配設されるピン部を含み、前記ピン部は、前記レンズに配設された穴に係止されることを特徴とする、請求項１〜請求項７のいずれかに記載の縁無し眼鏡。
【発明の詳細な説明】
【０００１】
【発明の属する技術分野】
本願発明は、縁無し眼鏡に関する。
【０００２】
【従来の技術】
図１５は、本願発明の背景となる従来の縁無し眼鏡のレンズ取付構造を示す要部断面図であり、図１６はその分解断面図である。図１７は、図１５，図１６に示す従来例のテンプル側のレンズ取付構造を示す要部分解斜視図である。
この従来の縁無し眼鏡１は、ねじ孔２ａを有するレンズ２を含む。レンズ２の側端縁には、ねじ孔２ａの近傍に段差部２ｂが設けられる。レンズ２と智５とは、ボルト３およびナット４により取付けられる。智５は、ねじ孔２ａと連通可能な智貫通孔５ａを有する。また、智５は、智貫通孔５ａの近傍に突出ピン５ｂを有する。レンズ２と智５とを取付ける場合、レンズ２の段差部２ｂに智５の突出ぴん５ｂが係合され、レンズ２の表面側からは、ねじ孔２ａおよび智貫通孔５ａを貫通してボルト３が挿通される。そして、レンズ２の裏面側から突出したボルト３にはナット４が螺合され、レンズ２と智５とが取付けられる。
なお、この従来の縁無し眼鏡１では、図１５，図１６に示すように、レンズ２とブリッジ６との取付構造もまた、上述したレンズ２および智５の取付構造と同様の構造を有するものである。すなわち、ブリッジ６の突出ピン６ｂとレンズ２の段差部２ｂとが係合され、さらに、レンズ２のねじ孔２ａおよびブリッジ貫通孔６ａにボルト３を挿通した後、ナット４が螺合されることによって、レンズ２とブリッジ６とは取付けられる。
【０００３】
【発明が解決しようとする課題】
しかしながら、このような従来の縁無し眼鏡１のレンズ取付け構造では、特に、図１５に示すように、レンズ２の裏面側に、この場合、レンズ面から眼球側に、ボルト３の軸部先端側３ａおよびナット４等の突出物が突出するため、例えば、眼鏡を掛けているときの安全性が脅かされたり、レンズ２面を清掃用布等で拭くときに、レンズ２の裏面側に突出したボルト３の軸部先端側３ａの角張った部分ないしナット４の角張った部分等で清掃用布等を傷つけてしまうことがあった。また、この場合、レンズ２の裏面側の汚れを拭き取りにくく、汚れの拭き残しが必ず生じていた。しかも、図１５〜図１７に示す従来の縁無し眼鏡１では、ボルト３をレンズ２の表面側から挿入し、さらに、ナット４をレンズ２の裏面側から締付けるため、取付け作業自体、案外に手間のかかるものであった。
【０００４】
それゆえに、本願発明の主たる目的は、レンズ面から眼球側にボルト・ナット等の突出物が突出しない構造で、しかも、簡単にレンズを智等に安定して取付けることができる、縁無し眼鏡を提供することである。
【０００５】
【課題を解決するための手段】
請求項１にかかる本願発明は、レンズと、レンズの端縁近傍でレンズの一方主面側からレンズの他方主面側に貫通し、その内周面にねじ面を有するレンズ孔と、レンズの一方主面側に配置され、レンズを智およびブリッジ等のフロントに止めるためのレンズ止め部と、レンズ止め部に配設され、レンズ孔と連通する連通孔と、レンズ止め部から突出し、レンズの一部に係止され、レンズの回動を防止する回り止め片と、レンズ孔のねじ面と螺合可能なねじ面を有し、レンズの一方主面側から連通孔およびレンズ孔に挿入される留め部材とを含み、留め部材は、レンズの他方主面側に突出しないように取付けられるレンズ取付構造を有する縁無し眼鏡であって、智のテンプルにつながる部分には、智およびレンズ止め部にかかる力を緩衝させる緩衝部が配設され、智、レンズ止め部、回り止め片、緩衝部およびテンプルは、弾性を有する樹脂材料で一体的に形成されることを特徴とする、縁無し眼鏡である。
請求項２にかかる本願発明は、請求項１にかかる発明に従属されるものであって、該緩衝部は、智のテンプルにつながる部分が内方に凹んだ凹み部を含むことを特徴とする、縁無し眼鏡である。
請求項３にかかる本願発明は、請求項１にかかる発明に従属されるものであって、該凹み部は内方に湾曲されることを特徴とする、縁無し眼鏡である。
請求項４にかかる本願発明は、請求項１〜請求項３のいずれかにかかる発明に従属されるものであって、該智が外方に湾曲されることを特徴とする、縁無し眼鏡である。
請求項５にかかる本願発明は、請求項１〜請求項４のいずれかにかかる発明に従属されるものであって、該テンプルは、智よりもさらに外方へ湾曲される湾曲部を含むことを特徴とする、縁無し眼鏡である。
請求項６にかかる本願発明は、請求項１〜請求項５のいずれかにかかる発明に従属されるものであって、該留め部材は、その周面にレンズ孔のねじ面に螺合可能な樹脂材料からなる軸状部と、軸状部の内部に配設され、軸状部の軸方向に延びる補強芯体とを含み、補強芯体は、金属材料で形成され、少なくともレンズとレンズ止め部とに跨って配置されることを特徴とする、縁無し眼鏡である。
請求項７にかかる本願発明は、請求項６にかかる発明に従属されるものであって、該補強芯体は、軸状部に食い込む複数の凸体を含むことを特徴とする、縁無し眼鏡である。
請求項８にかかる本願発明は、請求項１〜請求項７のいずれかにかかる発明に従属されるものであって、該回り止め片は、レンズの端縁に配設される切欠き部に係止されることを特徴とする、縁無し眼鏡である。
請求項９にかかる本願発明は、請求項１〜請求項７のいずれかにかかる発明に従属されるものであって、該回り止め片は、レンズ止め部の連通孔と所定の間隔を隔てて、レンズ止め部に配設されるピン部を含み、ピン部は、レンズに配設された穴に係止されることを特徴とする、縁無し眼鏡である。
［作用］
請求項１にかかる本願発明では、レンズの一方主面側から留め部材が、レンズ止め部の連通孔およびレンズのレンズ孔に挿入され、該留め部材のねじ面とレンズ孔のねじ面とが螺合されることによって、レンズとレンズ止め部とが固着される。このとき、留め部材は、レンズの他方主面側に突出しないように取付けられる。そのため、レンズの他方主面には、突出部が存在しない。
したがって、請求項１にかかる本願発明では、眼鏡を掛けているときの安全性が脅かされたり、レンズ面を清掃用布等で拭くときに、レンズの裏面側に突出した突出部の角張った部分等で清掃用布等を破損させてしまう恐れがない。しかも、留め部材のねじ面とレンズ孔のねじ面とを螺合させるだけで、極めて簡単にレンズを智等に安定して取付けることができる。
さらに、請求項１にかかる本願発明では、智、レンズ止め部、回り止め片、緩衝部およびテンプルが、弾性を有する樹脂材料で一体的に形成され、且つ、智のテンプルにつながる部分に緩衝部が配設されているので、たとえばテンプルに水平方向および垂直方向から何等かの力が作用しても、その力（負荷）による応力は該緩衝部で緩和・吸収される。それによって、該智および該レンズ止め部にかかる力を緩衝させることが可能となる。
したがって、請求項１にかかる本願発明では、テンプルの開閉動作等で、智、レンズ止め部および留め部材に力がかかっても、その力が緩衝部により緩衝され、留め部材への負担が極力少なくなる。そのため、留め部材がたとえば破損するような恐れも防止できる。
請求項２にかかる本願発明では、請求項１にかかる発明と比べて、特に、内方に凹んだ凹み部により、上記力（負荷）が緩衝される。この場合、凹み部が一種の節部となり、該力（負荷）により生じる智、レンズ止め部および留め部材への応力が緩和される。請求項３にかかる本願発明では、さらに、凹み部が内方に湾曲されて形成されるため、凹み部にかかる力を湾曲面に沿って有効に分散・吸収させることができる。請求項４にかかる本願発明では、さらに、智が外方に湾曲されて形成されるため、凹み部等の緩衝部と協働して、テンプルにかかる力を一層有効に緩和・分散させることができる。請求項５にかかる本願発明では、さらに、テンプルが智よりも外方に湾曲される湾曲部を有するため、該湾曲部は、凹み部等の緩衝部および智と協働して、第２の留め部材のフランジ部がその内周面にねじ部を有するため、テンプルにかかる力をより一層有効に緩和・分散させることができる。
請求項６にかかる本願発明では、留め部材の軸状部の中に金属材料からなる補強芯体が内蔵され、さらに、レンズと智とが取付けられたときには、補強芯体は、レンズおよびレンズ止め部間に跨って配置されるため、機械的強度が比較的弱い該レンズおよびレンズ止め部間の部位を強度的に補強することができる。
請求項７かかる本願発明では、補強芯体に配設された複数の凸体が軸状部に食い込むため、補強芯体が強固に軸状部に保持され、延いては、留め部材によるレンズ止め部とレンズとの締付けも強固なものとなり、レンズとレンズ止め部との取付強度が高くなる。
請求項８にかかる本願発明では、レンズの端縁に配設された切欠き部に回り止め片が係止されることによって、レンズとレンズ止め部との共回りが防止され、延いては、レンズ止め部およびレンズの緩み現象が防止される。請求項９にかかる本願発明では、レンズ止め部に配設されたピン部が、レンズに配設された穴に挿入・係止される。これにより、レンズとレンズ止め部との共回りが防止され、延いては、レンズ止め部およびレンズの緩み現象が防止される。なお、レンズに配設される穴は、有底穴が好ましいが、たとえばレンズを貫通する貫通穴であってもよい。
【０００６】
本願発明の上述の目的，その他の目的，特徴および利点は、図面を参照して行う以下の発明の実施の形態の詳細な説明から一層明らかとなろう。
【０００７】
【発明の実施の形態】
【実施例】
図１は、本願発明の一実施例を示す要部分解斜視図である。図２（Ａ）は、図１の実施例の要部を示す断面図であり、図２（Ｂ）はその分解断面図である。
本実施例にかかる縁無し眼鏡１０は、所定の玉形形状のレンズ１２を含む。レンズ１２は、合成樹脂材料等で形成される。レンズ１２は、該レンズ１２の端縁近傍に、たとえば正面視円形のレンズ孔１４を有する。レンズ孔１４は、レンズ１２の表面側から裏面側に貫通している。レンズ孔１４の内周面には、雌ねじ等のねじ部１４ａが配設される。さらに、レンズ１２は、該レンズ１２の端縁に切欠き部１６を有する。
【０００８】
レンズ１２は、テンプルＴにつながるフロント両側の智１８に取付けて固定される。智１８は、外方に湾曲して形成される。本実施例では、縁無し眼鏡を掛けたときに、たとえばテンプルＴと接触する顔面側の方を内方（内側）とし、顔面と接触しない反対側の方を外方（外側）とする。智１８の一端側には、レンズ１２を固定するためのレンズ止め部２０が配設される。また、智１８の他端側には、テンプルＴにつながる部位に、緩衝部として、たとえば凹み部２２が配設される。凹み部２２は、内方に湾曲して形成される。
【０００９】
レンズ止め部２０は、レンズ孔１４ａと連通可能な連通孔２４を有する。連通孔２４は、レンズ止め部２０の外側面から内側面に貫通して設けられ、たとえば正面視円形でレンズ孔１４ａと略同様の大きさである。また、レンズ止め部２０の内側面には、たとえば山形状の回り止め片２６が配設される。回り止め片２６は、レンズ止め部２０の内側面から内方へ突出して形成される。回り止め片２６は、レンズ１２の切欠き部１６に係止され、レンズ１２およびレンズ止め部２０の共回りが防止される。
【００１０】
智１８のテンプルＴとつながる部位の凹み部２２は、特に、たとえば図２（Ａ）に示すように、テンプルＴの内側面から外側面に円弧状になだらかに湾曲して形成される。また、テンプルＴは、その長手方向の中間部に、凹み部２２とは反対側に湾曲する湾曲部２８が配設される。この場合、湾曲部２８は、図１に示すように、その長さ方向の一端が上記凹み部２２と連続してつながり、その長さ方向の他端がモダンＭへとつながるものである。さらに、該湾曲部２８は、その長さ方向の一端から他端にかけて次第に先細り状となるように、該湾曲部２８の相対する上端面および下端面が傾斜して形成される。
本実施例では、智１８およびテンプルＴがたとえば超弾性を有する形状記憶樹脂材料で一体的に形成される。
【００１１】
次に、レンズ１２をレンズ止め部２０に固定する留め部材３０について説明する。留め部材３０は、円柱状の軸状部３２を含む。軸状部３２の外周面には、雄ねじ等のねじ面３２ａが形成される。軸状部３２の軸方向の一端側には、平面視たとえば６角形の頭部３４が形成される。本実施例では、合成樹脂材料で形成された６角ボルトが留め部材３０として用いられる。
【００１２】
そこで、レンズ１２を智１８に取付けて固定する方法の一例について説明する。先ず、レンズ１２の表面側に智１８のレンズ止め部２０が配置される。この場合、レンズ止め部２０の回り止め片２６が、レンズ１２の切欠き部１６に係止され、レンズ１２の表面にレンズ止め部２０が当接される。次に、レンズ１２の表面側から、留め部材３０がレンズ止め部２０の連通孔２４およびレンズ１２のレンズ孔１４に挿入される。このとき、留め部材３０のねじ面３２ａとレンズ孔１４のねじ面１４ａとが螺合されることによって、レンズ１２とレンズ止め部２０とが締結・固着される。
留め部材３０の軸状部３２の長さは、該軸状部３２の軸端がレンズ孔１４からレンズ１２の裏面側に突出しないように設定される。本実施例では、たとえば軸部３２の軸長がレンズ孔１４の孔の深さと連通孔２４の孔の深さとを合わせた長さよりも短くなるように設定される。
【００１３】
上述の実施例では、レンズ１２の裏面側に、留め部材３０が突出しないため、本実施例の縁無し眼鏡１０を掛けているときの安全性が脅かされたり、レンズ１２の裏面の汚れを清掃用布等で拭くときに、従来例のように、汚れの拭き残しが全くなく、レンズ１２の裏面側に突出した突出部の角張った部分等で清掃用布等を破損させてしまう恐れもない。しかも、留め部材３０のねじ面３２ａとレンズ孔１４のねじ面１４ａとを螺合させるだけで、極めて簡単にレンズ１２を智１８等に安定して取付けることができる。
【００１４】
さらに、上述の実施例では、智１８およびテンプルＴがたとえば超弾性を有する形状記憶樹脂材料で一体的に形成され、しかも、智１８のテンプルＴにつながる部分に緩衝部としての凹み部２２が形成されているので、テンプルＴの開閉動作等による力が作用しても、たとえば図３，図４に示すように、その力は凹み部２２で緩和・吸収される。この場合、凹み部２２が一種の節部となり、外的負荷（力）により生じる智１８、レンズ止め部２０および留め部材３０への応力が緩和される。さらに、凹み部２２が内方に湾曲されて形成されるため、凹み部２２にかかる力を湾曲面に沿って有効に分散・吸収させることができる。そのため、智１８およびレンズ止め部２０にかかる力を緩衝させて低減させることが可能となる。この場合、智１８、レンズ止め部２０、凹み部２２、回り止め片２６、湾曲部２８等の各部位は、それぞれ、超弾性を有するため、材質的側面からみても、テンプル等に力がかかったときの応力を緩衝する能力に優れている。
【００１５】
さらに、上述の実施例では、智１８が外方に湾曲されて形成されるため、凹み部２２の緩衝作用と協働して、テンプルＴにかかる力を一層有効に緩和・分散させることができる。その上、上述の実施例では、テンプルＴが智１８よりもさらに外方に湾曲される湾曲部２８を含み、この湾曲部２８が、凹み部２２，智１８と協働して、テンプルＴにかかる力をより一層有効に緩和・分散させる。
【００１６】
したがって、上述の実施例では、テンプルＴの開閉動作等で、智１８、レンズ止め部２０および留め部材３０に力がかかっても、その力が凹み部２２により緩衝され、留め部材３０への負担が極力少なくなる。そのため、留め部材３０がたとえば破損するような不具合も生じる恐れがない。
【００１７】
図５（Ａ）は、図１，図２の実施例の変形例を示す要部断面図であり、図５（Ｂ）はその分解断面図である。この変形例では、上述の実施例と比べて、特に、たとえば留め部材３０の軸状部３２の軸長が、レンズ孔１４の孔の深さと連通孔２４の孔の深さとを合わせた長さよりも長いものが用いられる。この場合、レンズ１２をレンズ止め部２０に取付けたときに、特に、図５（Ａ）に示すように、レンズ１２の裏面側から留め部材３０の軸状部３２の軸端が突出部３３として突出するので、該突出部３３は、適宜な切断具（図示せず）により切断される。したがって、本変形例では、レンズ孔１４に挿入・螺合される留め部材３０の軸状部３２の長さが上述の実施例のものより長いものとなり、その分、レンズ１２とレンズ止め部２０との接続強度が高くなる。
【００１８】
図６は、本願発明の他の実施例を示す要部分解斜視図であり、図７（Ａ）は、図６の実施例の要部を示す断面図であり、図７（Ｂ）はその分解断面図である。本実施例では、上述の各実施例と比べて、回り止め片がピン部３６で形成されている点で相違する。この場合、レンズ１２には、レンズ孔１４よりもレンズ１２の端縁側に、たとえば有底のピン穴３８が配設され、該ピン穴３８にピン部３６が挿入・係止される。なお、本実施例では、ピン部３６がレンズ止め部２０の連通孔２４よりも智１８のテンプルＴ側に配設されているが、このピン部３６は、たとえば図８，図９に示すように、レンズ止め部２０の先端側に配設されてもよい。この場合、ピン穴３８は、レンズ孔１４よりもブリッジ側に配設される。
【００１９】
図１０は、本願発明のさらに他の実施例を示す要部分解斜視図であり、図１１（Ａ）は、図１０の実施例の要部を示す断面図であり、図１１（Ｂ）はその分解断面図である。本実施例は、上述の実施例と比べて、特に、レンズ１２とブリッジ４０との取付構造を示すもので、ブリッジ４０は、該ブリッジ４０のレンズ止め部２０に連通孔４２を有する。また、該ブリッジ４０のレンズ止め部２０には、回り止め片として、たとえばピン部４４が配設される。一方、レンズ１２の端縁には、切欠き部１７が配設され、この切欠き部１７にピン部４４が係止される。そして、上述の各実施例と同様に、留め部材３０がレンズ止め部２０の連通孔４２およびレンズ孔１４に挿入・螺合される。
なお、留め部材３０は、図１０，図１１に示すように、軸状部３２の軸長が、レンズ孔１４の孔の深さと連通孔４２の孔の深さとを合わせた長さよりも短いものを用いてもよいし、あるいは、図１２に示すように、軸状部３２の軸長が、レンズ孔１４の孔の深さと連通孔４２の孔の深さとを合わせた長さよりも長いものを用い、留め部材３０を挿入・螺合した後、レンズ１２の裏面側から突出する軸状部３２の突出部３３を切断するようにしてもよい。
【００２０】
図１３は、本願発明の別の実施例を示す要部断面図であり、図１４は、図１３に示す実施例の分解断面図である。本実施例では、上述の各実施例と比べて、特に、留め部材３０の軸状部３２の中に補強芯体４６が配設されている点で相違する。補強芯体４６は、軸状部３２の軸方向に延び設けられる芯本体４６ａを含む。芯本体４６ａは、たとえば円柱状の金属材料で形成される。また、芯本体４６ａの外周面には、多数の凸体（図示せず）が一体的に配設される。補強芯体４６は、インサート成形等の方法によって、軸状部３２内に一体的に形成される。この場合、補強芯体４６にかかる応力を少しでも緩和させるために、補強芯体４６は、弾性を有する金属材料で形成されることが好ましい。
【００２１】
図１３，図１４に示す本実施例では、レンズ孔１４およびレンズ止め部２０の連通孔２４（ブリッジ４０側では、連通孔４２）に留め部材３０が挿入・螺合されたときに、レンズ１２とレンズ止め部２０との少なくとも接続境界部分に補強芯体４６が跨って配置されるように、芯本体４６ａの軸長さが適宜設定される。そのため、本実施例では、機械的強度が比較的弱いレンズ１２およびレンズ止め部２０間の部位を強度的に補強することができる。さらに、本実施例では、補強芯体４６の多数の凸体（図示せず）が軸状部３２に食い込むため、補強芯体４６が強固に軸状部４６に保持される。したがって、留め部材３０によるレンズ止め部２０とレンズ１２との締付けがより一層強固なものとなる。
なお、補強芯体４６に配設する凸体は、ローレット目、多数の凹凸部、複数の羽根片等で構成されてもよい。
【００２２】
上述の各実施例において、留め部材３０としては、六角ボルト以外にも、四角ボルト，六角穴付きボルト，植込みボルト等のボルト、あるいは、すり割り付き丸小ねじ，十字穴付き丸小ねじ等の小ねじ、または、すり割り付き止めねじ等の止めねじが適宜用いられ得る。
【００２３】
【発明の効果】
本願発明によれば、レンズ面から眼球側にボルト・ナット等の突出物が突出しない構造で、しかも、簡単にレンズを智等に安定して取付けることができる、縁無し眼鏡が得られる。
【図面の簡単な説明】
【図１】本願発明の一実施例を示す要部分解斜視図である。
【図２】図２（Ａ）は、図１の実施例の要部を示す断面図であり、図２（Ｂ）はその分解断面図である。
【図３】図１，図２の実施例の作用・効果を平面側から見た要部断面図である。
【図４】図１，図２の実施例の作用・効果を側面側から見た要部側面図である。
【図５】図５（Ａ）は、図１，図２の実施例の変形例を示す要部断面図であり、図５（Ｂ）はその分解断面図である。
【図６】本願発明の他の実施例を示す要部分解斜視図である。
【図７】図７（Ａ）は、図６の実施例の要部を示す断面図であり、図７（Ｂ）はその分解断面図である。
【図８】本願発明のさらに他の実施例を示す要部分解斜視図である。
【図９】図９（Ａ）は、図８の実施例の要部を示す断面図であり、図９（Ｂ）はその分解断面図である。
【図１０】本願発明のさらに他の実施例を示す要部分解斜視図である。
【図１１】図１１（Ａ）は、図１０の実施例の要部を示す断面図であり、図１１（Ｂ）はその分解断面図である。
【図１２】図１２（Ａ）は、図１０，図１１の実施例の変形例を示す要部断面図であり、図１２（Ｂ）はその分解断面図である。
【図１３】本願発明の別の実施例を示す要部断面図である。
【図１４】図１３に示す実施例の分解断面図である。
【図１５】本願発明の背景となる従来の縁無し眼鏡のレンズ取付構造を示す要部断面図である。
【図１６】図１５に示す従来例の分解断面図である。
【図１７】図１５，図１６に示す従来例のテンプル側のレンズ取付構造を示す要部分解斜視図である。
【符号の説明】
１０　縁無し眼鏡
１２　レンズ
１４　レンズ孔
１４ａ　レンズ孔のねじ面
１６，１７　切欠き部
１８　智
２０　レンズ止め部
２２　凹み部
２４，４２　連通孔
２６　回り止め片
２８　湾曲部
３０　留め部材
３２　軸状部
３２ａ　留め部材のねじ面
３４　頭部
３６，４４　ピン部
３８　ピン穴
４０　ブリッジ
４６　補強芯体
４６ａ　芯体本体
Ｔ　テンプル
Ｍ　モダン
【図１】
2004037654.tif 000003
【図２】
2004037654.tif 000004
【図３】
2004037654.tif 000005
【図４】
2004037654.tif 000006
【図５】
2004037654.tif 000007
【図６】
2004037654.tif 000008
【図７】
2004037654.tif 000009
【図８】
2004037654.tif 000010
【図９】
2004037654.tif 000011
【図１０】
2004037654.tif 000012
【図１１】
2004037654.tif 000013
【図１２】
2004037654.tif 000014
【図１３】
2004037654.tif 000015
【図１４】
2004037654.tif 000016
【図１５】
2004037654.tif 000017
【図１６】
2004037654.tif 000018
【図１７】
2004037654.tif 000019